(57)【特許請求の範囲】
【請求項１】
緑化すべき施工面に繊維網状体を取り付け、突起金具を前記繊維網状体を介して前記施工面に取り付け、植物を植え付けてあるマットに前記突起金具の突起を差し込ませた状態で、前記マットを前記突起金具に接着剤で接着して、前記突起金具への固定により前記マットを前記繊維網状体を介して前記施工面に貼り付けることを特徴とする緑化工法。
【請求項２】
緑化すべき施工面に繊維網状体を取り付け、突起金具を前記繊維網状体を介して前記施工面に取り付け、前記繊維網状体上から前記施工面に培土を前記突起金具の突起を残す高さまで散布または塗り付け、植物を植え付けてあるマットに前記突起金具の前記培土から突出した突起を差し込ませた状態で、前記マットを前記突起金具に接着剤で接着して、前記突起金具への固定により前記マットを前記培土および前記繊維網状体を介して前記施工面に貼り付けることを特徴とする緑化工法。
【発明の詳細な説明】
【０００１】
【発明の属する技術分野】
本発明は、緑化工法に関するものである。
【従来の技術】
【０００２】
構造物のコンクリート面の緑化工法として、セダム緑化工法等がメンテナンスが容易な工法として注目されている。
この緑化工法の一例を示すと、たとえば図８に示すように、建物屋上のコンクリート床面など、緑化すべき施工面１上に基盤層１１と培土層１２を順に積層して、植物物４を植え付けてあるマット（植生マット）５を培土層１２上に被せることにより、施工面１に植生マット５を貼り付け、施工面１に植物４による緑化を得るものである。
【０００３】
上記の基盤層１１は、発泡スチロール板もしくはプラスチックパレット等の平たい台状のプラスチック基盤材からなっている。施工面１の基盤層１１、培土層１２および植生マット５からなる緑化物全体は、施工面１の所々に設けた雌ネジ材と、これに植生マット５上からネジ込む雄ネジ材とを備えた押さえ金具１３によって、施工面１に固定される。
【０００４】
【発明が解決しようとする課題】
しかしながら、従来の緑化工法は、植生マットの貼り付けに台状のプラスチック基盤材を必要としており、また強風時の植生マットの飛散防止措置や基盤材のずれ止めも必要な工法なので、材料費や工事費が高価になり、施工も簡単でない問題があった。
【０００５】
また従来の緑化工法では、建物屋上のコンクリート床面などの水平面や屋根などの緩い勾配面の緑化工事は施工できるものの、擁壁など急勾配のコンクリート面では、プラスチック基盤材のずれ止めや植生マットの飛散防止措置が困難なため、緑化工事が施工できない問題があった。
【０００６】
本発明の課題は、緑化工法において、屋上面だけでなく、急勾配のコンクリート面にも施工でき、必要材料や工程数が少なく、工事費、工期も削減可能とすることである。
【０００７】
【課題を解決するための手段】
以上の課題を解決するため、請求項１記載の発明は、緑化工法において、
たとえば図５に示すように、緑化すべき施工面１に繊維網状体８を取り付け、突起金具２を繊維網状体８を介して施工面１に取り付け、植物を植え付けてあるマット（植生マット）５を突起金具２の突起２ａに差し込ませた状態で、マット５を突起金具２に接着剤３で接着して、突起金具２への固定によりマット５を繊維網状体８を介して施工面１に貼り付けることを特徴とする。
【０００８】
請求項１記載の発明によれば、緑化すべき施工面に取り付けた突起金具の突起を植物を植え付けてあるマットに差し込ませて、マットを突起金具に接着したので、マットを突起金具に強固に固定できる。このためマットの飛散防止措置を特に講じないでも、強風時のマットの飛散を防止することができる。またマットをプラスチック基盤材を用いずに施工面に直接貼り付けるので、コンクリート擁壁や建物の屋根など急勾配の面に対しても緑化工事を施工できる。
さらに、緑化工法の主たる工程が、施工面への突起金具の取り付け、突起金具への接着による植生マットの施工面への貼り付けであるので、必要材料および工程数が少なく、工事費が安価で工期も短くでき、また特殊な材料、技能も不要である。
【００１０】
そして、植物を植え付けてあるマットを繊維網状体を介して施工面に貼り付けるので、マットに植え付けられている植物の根を繊維網状体の繊維に絡み付かせて、施工面への植物の根付きを強化できる作用効果がある。
【００１１】
請求項２記載の発明は、緑化工法において、
たとえば図６に示すように、緑化すべき施工面１に繊維網状体８を取り付け、突起金具２を繊維網状体８を介して施工面１に取り付け、繊維網状体８上から施工面１に培土９を突起金具２の突起２ａを残す高さまで散布または塗り付け、植物を植え付けてあるマット（植生マット）５に突起金具２の培土９から突出した突起２ａを差し込ませた状態で、マット５を突起金具２に接着剤３で接着して、突起金具２への固定によりマット５を培土９および繊維網状体８を介して施工面１に貼り付けることを特徴とする。
【００１２】
請求項２記載の発明によれば、請求項１記載の発明とほぼ同様に、植物を植え付けてあるマットを培土および繊維網状体を介して施工面に貼り付けるので、マットに植え付けられている植物に培土による土壌を供給して、植物の生育向上を図ることができる。また植物の根を繊維網状体の繊維に絡み付かせて、施工面への植物の根付きを強化できる作用効果がある。
【００１３】
【発明の実施の形態】
以下、図を参照して本発明の実施の形態を詳細に説明する。
［第一の実施の形態］
本発明の一実施の形態に係る緑化工法を図１〜図３により説明する。
図１において、符号１は緑化すべき施工面で、ここでは、施工面１は水平なコンクリート面としているが、施工面１は傾斜したコンクリート面でもよく、またコンクリート以外の材料の面でもよい。
【００１４】
まず、水平なコンクリート面である施工面１上に複数の突起金具２を取り付ける。この突起金具２は、プラスチック基盤材を使用せずに、植物を植え付けてあるマット（植生マット）を施工面１に直接貼り付けるためのものである。突起金具２は、植生マットに差し込むための複数の突起２ａを金具基部２ｂに設けてなっている。
【００１５】
本実施の形態では、突起金具２の一例として、図２に示すように、縦横約５０ｍｍ×１００ｍｍ、厚さ約１ｍｍのステンレス板に半打ち抜き加工等により、先端の片側を傾斜させて尖らせた最大幅３ｍｍ、長さ４ｍｍ程度の突起を有するものを使用した。この突起金具は、ステンレス板の中央に略十字型の平板部を残して、長手方向両側のそれぞれに相対する突起を２列１６個、計３２個、その内側のそれぞれに相対する突起２列６個、計４カ所で２４個、合計５６個の突起を備える。
【００１６】
突起金具２は、その基部２ｂを施工面１にピン止めすることによって、施工面１に取り付けることができるが、本実施の形態では、取り付けを容易にするために、耐水性、耐久性に富む両面粘着テープまたは接着剤による接着で施工面１に取り付けた。この接着剤は緑化工事の施工後、風雨に曝されることになるので、水で流れ去らない非水溶性タイプであるものを使用する。
【００１７】
施工面１は、全体を貼り付ける植生マットに合わせた大きさ、たとえば植生マットの大きさが５００ｍｍ×５００ｍｍならば、５００ｍｍ×５００ｍｍの大きさに区分して、緑化工事を施工する。突起金具２は、その区分された施工面部分の四隅に、これを囲む施工面部分と共有するように４つ設置し、また各施工面部分の中央に１つ設置した。
なお、突起金具２の設置位置はこれに限られず、適宜増すことができる。また施工面１が凹凸部や曲面等である場合には、植生マットを施工面に合わせた大きさ、平面形状とするとともに、突起金具２の設置位置もこれに合わせた位置とすることができる。
【００１８】
図３（ａ）に示すように、施工面１上に突起金具２を取り付けたら、植生マットを突起金具２に固定して施工面１に貼り付けるために、図３（ｂ）に示すように、突起金具２の突起２ａに接着剤３を塗り付ける。植生マットの施工面１への貼り付けを強化するために、突起金具２と突起金具２の間の施工面１の部分にも接着剤３を数カ所塗り付けることができる。この接着剤３は、耐水性、耐久性に富み、かつ塗り付けた部分から流れないように粘度の高めのものを用い、これをビード状に塗り付けることがよい。なお、突起２ａおよび施工面１に接着剤の代わりに両面粘着テープを貼り付けてもよい。
【００１９】
ついで図３（ｃ）に示すように、植生マット５を突起金具２上から被せて押し当てることにより、突起金具２の突起２ａを植生マット５中に差し込ませ、突起２ａに塗り付けた前記の接着剤３により植生マット５を突起金具２に接着する。これにより、植生マット５は突起金具２に固定され、突起金具２による押さえ込みで施工面１に直接貼り付けられる。植生マット５は、繊維を絡ませた繊維マット中にセダム類等の植物４を植え付けてなる。植生マット５の高さは１０〜２０ｍｍ程度である。
【００２０】
本実施の形態では、上記のように、突起金具２の突起２ａを植生マット５中に差し込ませた状態で植生マット５を接着するので、植生マット５を突起金具２に強固に固定して、植生マット５を施工面１にしっかりと貼り付けることができる。したがって、植生マット５の飛散防止措置を特にとらなくても、強風時の植生マット５の飛散を防止することが可能になる。
【００２１】
その後は、図３（ｄ）に示すように、植生マット５の空隙部に目土６を散布・充填させる。
なお、初めから目土が充填済みの植生マットを使用する場合には、上記の工程は不要である。
【００２２】
以上により、目土６が充填された植生マット５が施工面１に施工され、植生マット５の植物４による緑化が得られる。植生マット５に植え付けられている植物４は、植生マット５中の目土６から栄養分を吸収して成長し、根を伸ばして施工面１、すなわちコンクリート面上に貼り付いて固定される。
【００２３】
従来の工法では、擁壁のような急勾配のコンクリート面は、プラスチック基盤材のずれ防止や強風時の植生マットの飛散防止措置の観点から緑化工事が困難であった。本実施の形態の工法によれば、プラスチック基盤材を用いずに、植生マット５を突起金具２に固定することによって施工面１に直接貼り付けるので、急勾配のコンクリート面に対しても緑化工事を施工できる。
【００２４】
本実施の形態の緑化工法を擁壁に適用した例を図４に示す。コンクリート擁壁面である急勾配の施工面１に取り付けた突起金具２に植生マット５を接着することにより、施工面１に植生マット５を直接貼り付けている。上述したのと同様な手法により、目土が充填された植生マット５が施工面１に施工され、急勾配の施工面１に植生マット５の植物４による緑化が得られる。
【００２５】
以上のように構成された本実施の形態の緑化工法によれば、緑化すべき施工面１に取り付けた突起金具２の突起２ａを植物を植え付けてある植生マット５に差し込ませて、植生マット５を突起金具２に接着したので、植生マット５を突起金具２に強固に固定できる。したがって、植生マット５の飛散防止措置を特に講じないでも、強風時の植生マット５の飛散を防止することができる。
また植生マット５をプラスチック基盤材を用いずに施工面１に直接貼り付けるので、プラスチック基盤材のずれ防止措置の必要がない。このためコンクリート擁壁や建物の屋根など急勾配の面に対しても緑化工事を施工できる。さらには垂直面にも緑化工事を施工できる。またプラスチック基盤材等を用いないので、凹凸部や曲面等の複雑な面に対しても緑化工事が施工できる。
さらに、緑化工法の主たる工程が、施工面１への突起金具２の取り付け、突起金具２への接着による植生マット５の施工面１への貼り付けであるので、必要材料および工程数が少なく、工事費が安価で工期も短くでき、また特殊な材料、技能も不要である。
【００２６】
［第二の実施の形態］
本発明の他の実施の形態に係る緑化工法を図５により説明する。
本実施の形態の緑化工法では、図５に示すように、施工面１に繊維網状体８を取り付け、施工面１に繊維網状体８を介して植生マット５を貼り付けたことが大きな特徴である。
【００２７】
まず、図５（ａ）に示すように、緑化すべき施工面１の所要箇所に接着剤３をビード状に塗り付け、繊維網状体８を施工面１に押し当てて、接着剤３により繊維網状体８を施工面１に接着して取り付ける。この繊維網状体８は、不規則に折曲した繊維同士を３次元的に緩く絡み付かせて、厚さ５〜８ｍｍ程度の薄層をなすように形成した空隙に富む繊維集合体である。施工面１に塗り付けた接着剤３は、押し当てられた繊維網状体８の空隙に侵入する。また繊維網状体８は押圧すると、容易に弾性変形して潰れる。
【００２８】
ついで図５（ｂ）に示すように、突起金具２を繊維網状体８上から押し当てて、潰れた繊維網状体８から押し出された接着剤３により、突起金具２を繊維網状体８を介して施工面１に接着する。
【００２９】
つぎに、図５（ｃ）に示すように、突起金具２の突起２ａに接着剤３を塗り付けてから、図５（ｄ）に示すように、植物を植え付けてある植生マット５を突起金具２上から被せて押し当てる。これにより、突起金具２の突起２ａを植生マット５に差し込ませ、突起２ａに塗り付けた接着剤３により植生マット５を突起金具２に接着して、突起金具２による押さえ込みで植生マット５を施工面１に貼り付ける。
このとき、突起金具２と２との間でも、繊維網状体８に侵入した接着剤３により植生マット５が繊維網状体８を介して施工面１に接着されるので、植生マット５は施工面１により堅固に貼り付けられる。
【００３０】
また、植生マット５を繊維網状体８を介して施工面１に貼り付けることにより、植生マット５に植え付けられている植物４が根を伸ばして、施工面１に接着した繊維網状体８の繊維に根を絡み付かせることができる。したがって、施工面１であるコンクリート面への植物の根付きを強化することができる。
【００３１】
その後は、植生マット５が目土が充填済みでない植生マットであれば、図５（ｅ）に示すように、植生マット５の空隙部に目土６を散布・充填させ、目土６が充填された植生マット５が繊維網状体８を介して施工面１に施工され、植生マット５の植物４による緑化が得られる。
【００３２】
以上のように構成された本実施の形態の緑化工法によれば、第一の実施の形態と同様な作用効果を有する他、植生マットの植物の根付きを強化することができる。
【００３３】
［第三の実施の形態］
本発明のさらに他の実施の形態に係る緑化工法を説明する。本実施の形態の緑化工法では、図６に示すように、植物を植え付けてある植生マット５を培土９および繊維網状体８を介して施工面１に貼り付けた。
【００３４】
まず、図６（ａ）に示すように、緑化すべき施工面１の所要箇所に接着剤３をビード状に塗り付け、繊維網状体８を施工面１に押し当てて、接着剤３により繊維網状体８を施工面１に接着して取り付ける。ついで図６（ｂ）に示すように、突起金具２を繊維網状体８上から押し当てて、潰れた繊維網状体８から押し出された接着剤３により、突起金具２を繊維網状体８を介して施工面１に接着する。本実施の形態では、この突起金具２は、基部２ｂを約１０〜２０ｍｍ程度に高く作製している。
【００３５】
つぎに、図６（ｃ）に示すように、突起金具２の突起２ａを残す位置まで繊維網状体８上に培土９を散布・充填または塗り付ける。このように繊維網状体８上から培土９を散布・充填または塗り付けることにより、施工面１からの培土９の流出を防止することができる。
【００３６】
ついで図６（ｄ）に示すように、培土９の層から突出した突起金具２の突起２ａの部分に接着剤３を塗り付けてから、図６（ｅ）に示すように、突起金具２上から植生マット５を被せて押し当てる。これにより、突起２ａを植生マット５に差し込ませ、突起２ａに塗り付けた接着剤３により植生マット５を接着する。植生マット５は、突起金具２による押さえ込みで、培土９の層および繊維網状体８を介して施工面１にしっかりと貼り付けられる。
【００３７】
その後は、植生マット５に目土が充填済みでなければ、図６（ｆ）に示すように、植生マット５の空隙部に目土６を散布・充填する。目土６が充填された植生マット５が、その下の培土９および繊維網状体８を介して施工面１に施工され、植生マット５の植物４による緑化が得られる。
【００３８】
本実施の形態では、以上のように、植生マット５の下に培土９を位置させることにより、植生マット５に植え付けられている植物４に培土９による土壌が提供され、植物の生育を向上することができる。また培土９を繊維網状体８を介して施工面１に塗り付けるので、施工面１が急勾配のコンクリート面であっても、施工面１からの培土９の流出を防ぐことができ、培土９を安定して植物の生育に寄与せることができる。さらに培土９の下に施工面１に接着した繊維網状体８があるので、植物の根付きを強化することができる。
【００３９】
本実施の形態の緑化工法を擁壁に適用した場合を図７に示す。コンクリート擁壁面である急勾配の施工面１に繊維網状体８および固化培土９を介して取り付けた突起金具２に植生マット５を接着することにより、施工面１に繊維網状体８および培土９を介して植生マット５を貼り付けている。上述したのと同様な手法により、目土が充填された植生マット５が、その下の培土９および繊維網状体８を介して施工面１に施工され、急勾配の施工面１に植生マット５の植物４による緑化が得られる。
【００４０】
以上のように構成された本実施の形態の緑化工法によれば、第一の実施の形態と同様な作用効果を奏する他、植生マット５の植物４の生育を向上できる作用効果がある。
【００４１】
【発明の効果】
以上説明したように、本発明によれば、擁壁等の急勾配のコンクリート面にも施工でき、必要材料や工程数が少なく、工事費、工期も削減できる緑化工法を提供することができる。
【図面の簡単な説明】
【図１】本発明の緑化工法による緑化工事を施工する施工面を示す平面図である。
【図２】本発明の緑化工法で使用する突起金具の例を示す斜視図である。
【図３】本発明の第一の実施の形態に係る緑化工法の工程を示す説明図である。
【図４】第一の実施の形態に係る緑化工法を急勾配のコンクリート面に適用した例を示す説明図である。
【図５】本発明の第二の実施の形態に係る緑化工法の工程を示す説明図である。
【図６】本発明の第三の実施の形態に係る緑化工法の工程を示す説明図である。
【図７】第三の実施の形態に係る緑化工法を急勾配のコンクリート面に適用した例を示す説明図である。
【図８】従来の緑化工法を示す説明図である。
【符号の説明】
１    施工面
２    突起金具
２ａ  突起
３    接着剤
４    植物
５    植生マット
６    目土
８    繊維網状体
９    培土
【図１】
0003585870.tif 000002
【図２】
0003585870.tif 000003
【図３】
0003585870.tif 000004
【図４】
0003585870.tif 000005
【図５】
0003585870.tif 000006
【図６】
0003585870.tif 000007
【図７】
0003585870.tif 000008
【図８】
0003585870.tif 000009